(57)【要約】【課題】シンクの排水性や清掃性を保持したまま、シンプルで使い勝手のよい、止水、排水構造を提供する。【解決手段】半円形の排水流入部３が相対向して穿たれた円形プレート２と、該排水流入部３の円弧部３１裏面のやや外側に下向きに連設された四半球状の排水受け部４と、上記排水流入部３の直径部分３２に揺動自在に垂設された可動片１とからなり、排水はこの可動片１を押動して流出し、上記円形プレート２を裏返したとき該可動片１は上記四半球状排水受け部４の内面に沿って反転し、上記排水流入部３を覆って止水するシンクの止水、排水構造。【選択図】図１
2005264675.tif 000002
【特許請求の範囲】
【請求項１】
半円形の排水流入部が相対向して穿たれた円形プレートと、該排水流入部の円弧部裏面のやや外側に下向きに連設された四半球状の排水受け部と、上記排水流入部の直径部分に揺動自在に垂設された可動片とからなり、排水はこの可動片を押動して流出し、上記円形プレートを裏返したとき該可動片は上記四半球状排水受け部の内面に沿って反転し、上記排水流入部を覆って止水するシンクの止水、排水構造。
【請求項２】
上記可動片がヒンジによって揺動自在に垂設されるとともに、該ヒンジは水流による押動に抗するように僅かに付勢する付勢手段を備えた請求項１に記載のシンクの止水、排水構造。
【請求項３】
上記可動片は硬質ゴム材からなるとともに、上記排水流入部と相似でそれよりもやや大きい半円形とされた請求項１に記載のシンクの止水、排水構造。
【請求項４】
上記円形プレートを裏返したとき上記可動片が上記排水流入部の円弧部裏面に当接するようにした請求項１に記載のシンクの止水、排水構造。
【発明の詳細な説明】
【技術分野】
【０００１】
本発明は、キッチンのシンクの止水、排水構造に関する。さらに詳しくは、シンクの排水口を覆って止水し、水を溜めるとともに、通常は水を排出する止水、排水構造に関する。
【背景技術】
【０００２】
従来、シンクにおいては、水を溜めて使用することが少ないため、排水口は、通常、オープン構造とされ、使用後の水はそのまま流されている。そこで、水を溜める際にはゴム栓で排水口に栓をしたり、別体とされた止水手段で止水する等の手段が講じられているが、止水手段の保管場所や、外観が悪いという問題があり、これらの問題点を解決するため、種々の先行技術が開示されている。しかしながら、下記種々の先行技術を用いても、これらの問題点を解決して、必ずしも満足すべき結果が得られるとはいいがたい。
【特許文献１】特開２０００−２８２５３４号公報（第１−３頁、第２〜３図）
【特許文献２】特開平９−１９２５２１号公報（第１−５頁、第５図）
【特許文献３】特開平９−１９２５２２号公報（第１−５頁、第６〜１０図）
【特許文献４】特開平８−６８０９０号公報（第１−３頁、第１〜２図）
【発明の開示】
【発明が解決しようとする課題】
【０００３】
本発明は、このような状況の下で考え出されたものであって、シンクの排水性や清掃性を保持したまま、シンク回りをすっきりとシンプルにできるとともに、使い勝手のよい、止水、排水構造を提供することを、その課題とする。
【課題を解決するための手段】
【０００４】
上記課題を解決するため、本発明においては、つぎのような技術的手段を講じている。すなわち、本発明によれば、半円形の排水流入部が相対向して穿たれた円形プレートと、該排水流入部の円弧部裏面のやや外側に下向きに連設された四半球状の排水受け部と、上記排水流入部の直径部分に揺動自在に垂設された可動片とからなり、排水はこの可動片を押動して流出し、上記円形プレートを裏返したとき該可動片は上記四半球状排水受け部の内面に沿って反転し、上記排水流入部を覆って止水する止水、排水構造が提供される。
【０００５】
上記可動片がヒンジによって揺動自在に垂設されるとともに、該ヒンジは水流による押動に抗するように僅かに付勢する付勢手段を備えることが好ましい。上記可動片は硬質ゴム材からなるとともに、上記排水流入部と相似でそれよりもやや大きい半円形とされる。また、上記円形プレートを裏返したとき上記可動片が上記排水流入部の円弧部裏面に当接するようにすることが好ましい。
【発明の効果】
【０００６】
請求項１に記載の発明は上記のとおりであり、とくに、半円形の排水流入部が相対向して穿たれた円形プレートを裏返したとき、可動片が上記排水流入部を覆って止水するため、通常は、シンクの排水構造とすることができるとともに、シンクに水を溜める必要が生じたときは、裏返して止水構造とすることができ、一つの部材で止水、排水の両用途に供せられる。また、この止水排水構造はシンクと別体であるため後付け可能であり、簡単に清掃をすることができる。
【０００７】
上記可動片がヒンジによって揺動自在に垂設されるとともに、このヒンジが水流による押動に抗するように僅かに付勢する付勢手段を備えているため、シンクからの排水があるときは、水流は上記付勢に打ち勝って可動片を中央部に押動し、排水トラップへ流下するとともに、通常は、上記付勢により排水トラップからの臭気を遮断して、シンク内に侵入することを防ぐ。
【０００８】
上記可動片は硬質ゴム材からなるとともに、上記排水流入部と相似でそれよりもやや大きい半円形とされるため、円形プレートを裏返したとき、該可動片は上記四半球状排水受け部の内面に沿って反転し、自重で上記排水流入部を覆うとともに、硬質ゴム材がパッキン機能を発揮して水密構造とすることができる。
【０００９】
上記円形プレートを裏返したとき上記可動片が上記排水流入部の円弧部裏面に当接するようにしているため、水圧がかかったとき、可動片と当該当り面とが圧接されて優れた止水効果を発揮する。
【発明を実施するための最良の形態】
【００１０】
以下、本発明の実施形態について図面を参照して、詳細に説明する。なお、本発明において、相対向する構成要素は同一であるため、動作の説明は、その一つを代表して説明する。図１は、本発明にかかる止水、排水構造を示す斜視図である。図１からよくわかるように、上記止水、排水構造は、半円形の排水流入部３が相対向して穿たれた円形プレート２と、該排水流入部３の円弧部３１裏面のやや外側に下向きに連設された四半球状の排水受け部４と、上記排水流入部３の直径部分３２にヒンジ５によって揺動自在に垂設された可動片１とからなっている。
【００１１】
この可動片１は排水流入部３と相似で、それよりもやや大きい半円形とされ、円形プレート２を裏返したとき、上記四半球状排水受け部４の内面に沿って反転し、排水流入部３を覆う。このとき、上記排水流入部３の円弧部３１の裏面と排水受け部４の連設部との間は、後記するように可動片１の当り面３３とされている。
【００１２】
図２は、本発明にかかる止水、排水構造をシンクの排水口６に嵌装した状態を示す説明図である。図２において、上記止水、排水構造は、図１に示すＡ−Ａ線に沿う側断面図で表され、ヒンジ５は、可動片１を略垂直方向に垂下するよう僅かな力で付勢する付勢手段（図示せず）を備えている。シンクからの排水は、図２中、矢印⇒で示されるように流れ、水流は、僅かに付勢された可動片１を中央部に押しやるとともに、図示しない排水トラップへ流下する。一方、排水が流れない状態では、上記付勢手段を備えたヒンジ５が、可動片１を垂直に保持するため、排水トラップからの臭気を遮断し、シンク内に侵入することを防ぐ。かくして、図２に示す状態では、本発明の止水、排水構造は、シンクの排水口６に嵌装された排水構造として機能する。
【００１３】
図３は、図１に示した止水、排水構造を裏返して示す斜視図であり、図４は、上記裏返された止水、排水構造をシンクの排水口６に嵌装した状態を示す説明図である。図４に示した止水、排水構造は、図３に示すＢ−Ｂ線に沿う側断面図で表されている。図３、図４からよくわかるように、円形プレート２を裏返すと、可動片１はヒンジ５に備えられた付勢手段に打ち勝って自重により四半球状の排水受け部４の内周面に沿って反転し、排水流入部３を覆う。このとき、上記したように、排水流入部３の円弧部３１の裏面近傍は可動片１の当り面３３とされ、水圧により可動片１が当り面３３に圧接し、しっかりと止水される。かくして、本発明の止水、排水構造は、シンクの排水口６に嵌装されて止水構造として機能する。
【００１４】
なお、上記実施形態においてはヒンジ５として蝶番が用いられているが、これに限られず円形プレート２と可動片１とをプラスチックで一体的に形成してプラスチックヒンジとしてもよい。また、円形プレート２と可動片１とを金属プレートとし、蝶番で接続してもよい。このように、本発明は種々設計変更可能であり、特許請求の範囲を逸脱しない限り、いずれも本発明の技術的範囲に属する。
【図面の簡単な説明】
【００１５】
【図１】本発明にかかる止水、排水構造を示す斜視図である。
【図２】図１に示す止水、排水構造をシンクの排水口に嵌装し排水構造とした状態を示す説明図である。
【図３】図１に示す止水、排水構造を裏返して示す斜視図である。
【図４】図３に示す止水、排水構造をシンクの排水口に嵌装し止水構造とした状態を示す説明図である。
【符号の説明】
【００１６】
１          可動片
２          円形プレート
３          排水流入部
３１        円弧部
３２        直径部分
３３        当り面
４          排水受け部
５          ヒンジ
６          シンクの排水口
【図１】
2005264675.tif 000003
【図２】
2005264675.tif 000004
【図３】
2005264675.tif 000005
【図４】
2005264675.tif 000006